(57)【要約】【課題】頭部巻回部の吸汗性に優れながらも、結び目形成部で結び目を固く、かつ小さく形成することもでき、しかも、頭部巻回部の通気性にも優れ、夏の暑いときなどでもより快適に使用することのできるタオルを提供する。【解決手段】タオル１０を、頭部２０に巻回するための頭部巻回部１１と、頭部巻回部１１の外端にそれぞれ設けられた結び目形成部１２，１３と、それぞれの結び目形成部１２，１３のさらに外端に設けられた結び目余剰部１４，１５とを備え、少なくとも結び目形成部１２，１３が平織りによって形成されたものとし、頭部巻回部１１を、パイル織りによって形成された吸汗部１１ａと、メッシュ織りによって形成された通気部１１ｂとで構成した。【選択図】図１
0003144096.tif 000002
【実用新案登録請求の範囲】
【請求項１】
頭部に巻回するための頭部巻回部と、頭部巻回部の外端にそれぞれ設けられた結び目形成部と、それぞれの結び目形成部のさらに外端に設けられた結び目余剰部とを備え、少なくとも結び目形成部が平織りによって形成されたタオルであって、
頭部巻回部が、パイル織りによって形成された吸汗部と、メッシュ織りによって形成された通気部とで構成されたことを特徴とするタオル。
【請求項２】
吸汗部と通気部がそれぞれ複数箇所に設けられ、頭部巻回部の巻回方向に亘って交互に配された請求項１記載のタオル。
【請求項３】
それぞれの吸汗部の幅が１０〜１５０ｍｍである請求項２記載のタオル。
【請求項４】
それぞれの通気部の幅が５〜５０ｍｍである請求項２記載のタオル。
【請求項５】
頭部巻回部の巻回方向に沿った長さが４０〜６０ｃｍである請求項１記載のタオル。
【請求項６】
頭部に巻回するための頭部巻回部と、頭部巻回部の外端にそれぞれ設けられた結び目形成部と、それぞれの結び目形成部のさらに外端に設けられた結び目余剰部とを備え、少なくとも結び目形成部が平織りによって形成されたタオルであって、
頭部巻回部がパイル織りによって形成された吸汗部とメッシュ織りによって形成された通気部とで構成され、吸汗部と通気部がそれぞれ複数箇所に設けられて頭部巻回部の巻回方向に亘って交互に配され、それぞれの吸汗部の幅が１０〜１５０ｍｍであり、それぞれの通気部の幅が５〜５０ｍｍであり、頭部巻回部の巻回方向に沿った長さが５０〜６０ｃｍであることを特徴とするタオル。
【考案の詳細な説明】
【技術分野】
【０００１】
本考案は、頭部に巻回して使用することを目的としたタオルに関する。
【背景技術】
【０００２】
工事現場などでは、安全のため、ヘルメットを着用することが義務づけられている。しかし、ヘルメットを着用しての作業は、頭部が蒸れて不快感を感ずることも多い。このため、夏の暑い日などには、頭部にタオルを巻回してその両端を結んでからヘルメットを着用する者も多い。しかし、吸汗性に優れた厚手のタオルを使用した際には、結び目を固く締めにくいために、作業を続けるうちにその結び目が解けてしまうことがよくあった。また、厚手のタオルでは、結び目が大きくなりやすく、ヘルメットの着用の際に邪魔になりやすかった。
【０００３】
このような実状に鑑みてか、これまでには、着用者の頭部に巻回される部分（頭部巻回部）の生地を厚くし、頭部巻回部よりも外側の結び目が形成される部分（結び目形成部）の生地を薄くしたタオルが提案されている（例えば、特許文献１，２）。これにより、タオルを、頭部巻回部の吸汗性に優れながらも、結び目を固く、かつ小さく形成できるものとすることが可能になる。
【０００４】
頭部巻回部の生地が厚く形成され、結び目形成部の生地が薄く形成されたタオルは、夏の暑い日の作業を快適化することについて、一定の効果を奏するものではあったが、以下のような欠点を有していた。すなわち、この種のタオルは、頭部巻回部の生地が厚く形成されていたために、頭部巻回部の通気性に乏しく乾きにくいものとなっていた。このため、タオルを頭部に巻回した当初は快適であっても、汗をかいてタオルが湿るにつれて、不快感が増大しやすいものとなっていた。吸汗性と通気性の双方に優れたタオルがあればよいのであるが、そのようなタオルは見当たらなかった。
【０００５】
【特許文献１】特開２００５−１７７３８８公報
【特許文献２】特開２００４−７３７９０公報
【考案の開示】
【考案が解決しようとする課題】
【０００６】
本考案は、上記課題を解決するためになされたものであり、頭部巻回部の吸汗性に優れながらも、結び目形成部で結び目を固く、かつ小さく形成することもでき、しかも頭部巻回部の通気性にも優れ、夏の暑いときなどでもより快適に使用することのできるタオルを提供するものである。
【課題を解決するための手段】
【０００７】
上記課題は、頭部に巻回するための頭部巻回部と、頭部巻回部の外端にそれぞれ設けられた結び目形成部と、それぞれの結び目形成部のさらに外端に設けられた結び目余剰部とを備え、少なくとも結び目形成部が平織りによって形成されたタオルであって、頭部巻回部が、パイル織りによって形成された吸汗部と、メッシュ織りによって形成された通気部とで構成されたことを特徴とするタオルを提供することによって解決される。これにより、頭部巻回部の通気性に優れ、夏の暑いときなどでも快適に使用することのできるタオルを提供することが可能になる。
【０００８】
吸汗部と通気部の配置パターンは特に限定されないが、吸汗部と通気部をそれぞれ複数箇所に設け、頭部巻回部の巻回方向に亘って交互に配すると好ましい。このように、パイル織りで形成された吸汗部を、メッシュ織りで形成された通気部で分断することによって、一の吸汗部でいわゆるパイル抜け（一のパイルを形成していた糸が引っ張られることにより、その周辺のパイルを形成していた糸が同じ場所から引っ張り出されてしまい、生地が薄くなったり、引きつったりした状態となること）が生じたとしても、そのパイル抜けが隣の吸汗部まで伝線するのを防止することが可能になる。また、タオルを、ストライプ模様の意匠性に優れたものとすることもできる。
【０００９】
この場合、頭部巻回部におけるそれぞれの吸汗部の幅は特に限定されない。しかし、吸汗部の幅を狭くしすぎると、タオルの吸汗性が低下したり、タオルの肌触りが悪化したりするおそれがある。一方、吸汗部の幅を広くしすぎると、タオルの通気性を確保しにくくなるおそれがある。このため、頭部巻回部におけるそれぞれの吸汗部の幅は、通常、１０〜１５０ｍｍとされる。
【００１０】
また、頭部巻回部におけるそれぞれの通気部の幅も特に限定されない。しかし、通気部の幅を狭くしすぎると、タオルの通気性を確保しにくくなるおそれがある。一方、通気部の幅を広くしすぎると、タオルの吸汗性を確保しにくくなったり、タオルの肌触りを良好に保ちにくくなったりするだけでなく、タオルを丈夫なものとしにくくなるおそれもある。このため、頭部巻回部におけるそれぞれの通気部の幅は、通常、５〜５０ｍｍとされる。
【００１１】
さらに、頭部巻回部の巻回方向に沿った長さは、タオルを巻回する人の頭周りなどによっても異なり、特に限定されない。しかし、頭部巻回部の巻回方向に沿った長さが短すぎると、タオルの吸汗性を確保しにくくなるばかりか、タオルを頭部に巻回すること自体が不可能になるおそれもある。このため、頭部巻回部の巻回方向に沿った長さは、通常、４０ｃｍ以上とされる。一方、頭部巻回部の巻回方向に沿った長さが長すぎると、頭部巻回部が中途半端に余るおそれがある。このため、頭部巻回部の巻回方向に沿った長さは、通常、６０ｃｍ以下とされる。
【考案の効果】
【００１２】
以上のように、本考案によって、頭部巻回部の吸汗性に優れながらも、結び目形成部で結び目を固く、かつ小さく形成することができ、しかも頭部巻回部の通気性にも優れ、夏の暑いときなどでもより快適に使用することのできるタオルを提供することが可能になる。
【考案を実施するための最良の形態】
【００１３】
本考案のタオルの好適な実施態様について、図面を用いてより具体的に説明する。図１は、本考案のタオル１０を頭部２０に巻回した状態を示した図である。図２は、本考案のタオル１０を展開した状態を示した図である。本考案のタオル１０は、図１と図２に示すように、頭部２０に巻回するための頭部巻回部１１と、頭部巻回部１１の外端にそれぞれ設けられた結び目形成部１２，１３と、それぞれの結び目形成部１２，１３のさらに外端に設けられた結び目余剰部１４，１５とを備えたものとなっている。
【００１４】
本考案のタオル１０は、頭部２０に巻回して使用することを想定したものとなっているが、その巻回方法は特に限定されない。例えば、頭部２０に鉢巻を締める要領で、まず、結び目余剰部１４，１５をそれぞれ手に持ち、頭部巻回部１１の真ん中を額に宛がい、結び目余剰部１４，１５を持った手を頭部２０の後側に回し、結び目形成部１２，１３で結び目ができるようにタオル１０を結ぶことによってタオル１０を頭部２０に巻回することができる。タオル１０の結び方は特に限定されず、例えば、固結びなどが挙げられる。タオル１０は、結び目が頭部１０の前方や、側方にくるように結んでもよい。
【００１５】
タオル１０を頭部２０に巻回する回数は、特に限定されないが、通常、１回とされる。タオル１０を頭部２０に２回以上巻くと、頭部２０への通気性を確保しにくくなるだけでなく、その上からヘルメットを被ろうとしても頭部２０がヘルメットの中に入らなくなるおそれもあるからである。本実施態様のタオル１０も、１回だけ巻回することを想定したものとなっている。
【００１６】
この場合（頭部２０へ１回だけ巻回することを想定した場合）のタオル１０の全体長Ｌ１（図２）は、頭部巻回部１１、結び目形成部１２，１３及び結び目余剰部１４，１５をどの程度確保するかによっても異なり、特に限定されない。タオル１０の全体長Ｌ１は、通常、タオル１０を頭部２０に巻回した際に結び目から垂れ下がる部分の長さをある程度確保できるように設定すると好ましい。タオル１０の全体長Ｌ１は、８０ｃｍ以上であると好ましく、９０ｃｍ以上であるとより好ましい。これにより、タオル１０を頭部２０へ巻回しやすくなるだけでなく、その垂れ下がった部分で頬や首筋などを伝う汗を拭うことが可能になる。
【００１７】
一方、タオル１０の全体長Ｌ１（図２）が長すぎると、タオル１０を頭部２０に巻回しにくくなるだけでなく、タオル１０を頭部２０に巻回した際に結び目から垂れ下がる部分が長くなりすぎるおそれもある。このため、タオル１０の全体長Ｌ１は、通常、１７０ｃｍ以下とされる。タオル１０の全体長Ｌ１は、１５０ｃｍ以下であると好ましく、１３０ｃｍ以下であるとより好ましい。本実施態様のタオル１０において、タオル１０の全体長Ｌ１は約１００ｃｍとなっている。
【００１８】
タオル１０の全体幅Ｗ１（図２）も特に限定されないが、通常、１０〜５０ｃｍ、好ましくは、２０〜４０ｃｍとされる。本実施態様のタオル１０において、タオル１０の全体幅Ｗ１は約３４ｃｍとなっている。
【００１９】
タオル１０の各部のうち、頭部巻回部１１は、図２に示すように、吸汗部１１ａと通気部１１ｂとで構成されている。吸汗部１１ａは、パイル織りによって形成されており、吸汗性に優れたものとなっている。これに対し、通気部１１ｂは、メッシュ織りによって形成されており、通気性に優れたものとなっている。このため、頭部巻回部１１は、高い吸汗性と高い通気性の双方を兼ね備えたものとなっている。
【００２０】
タオル１０の巻回方向に沿った頭部巻回部１１の長さＬ２（図２）は、特に限定されないが、通常、平均的な成人男性の頭周り（５６ｃｍ程度）を基準として−１５ｃｍ〜＋１５ｃｍ程度に設定される。本実施態様のタオル１０において、頭部巻回部１１の長さＬ２は、約６０ｃｍとなっている。
【００２１】
吸汗部１１ａにおけるパイル長は、特に限定されないが、短すぎると、吸汗部１１ａの吸汗性が低下するおそれがある。このため、吸汗部１１ａにおけるパイル長は、５．５ｍｍ以上とすると好ましい。一方、吸汗部１１ａにおけるパイル長が長すぎると、頭部の装着性が低下するおそれがある。このため、吸汗部１１ａにおけるパイル長は、９ｍｍ以下とすると好ましい。本実施態様のタオル１０において、吸汗部１１ａにおけるパイル長は、約８ｍｍとなっている。
【００２２】
通気部１１ｂにおける目開きは、特に限定されないが、小さすぎると、通気部１１ｂの通気性が低下するおそれがある。このため、通気部１１ｂにおける目開きは、０．５ｍｍ以上とすると好ましい。一方、通気部１１ｂにおける目開きが大きすぎると、通気部１１ｂの強度が低下するおそれがある。このため、通気部１１ｂにおける目開きは、１．５ｍｍ以下とすると好ましい。本実施態様のタオル１０において、通気部１１ｂの目開きは、約１ｍｍとなっている。
【００２３】
本実施態様のタオル１０において、吸汗部１１ａと通気部１１ｂは、図２に示すように、それぞれ複数箇所（吸汗部１１ａが計８箇所、通気部１１ｂが計７箇所）に設けており、頭部巻回部１１の巻回方向（タオル１０の全体長Ｌ１（図２）に沿った方向）に亘って交互に配されている。このため、頭部２０のほぼ全体に亘って通気性を確保するだけでなく、一の吸汗部１１ａでいわゆるパイル抜けが生じたとしても、そのパイル抜けが隣の吸汗部１１ａまで伝線しないようになっている。
【００２４】
吸汗部１１ａや通気部１１ｂの形は特に限定されない。曲線を使用した形や、文字や図形を模した形など、複雑な形であってもよいが、本実施態様のタオル１０においては、図２に示すように、吸汗部１１ａと通気部１１ｂはいずれも単純な帯状としている。吸汗部１１ａと通気部１１ｂは、タオル１０を幅方向（タオル１０の全体幅Ｗ１（図２）に沿った方向）に横断している。
【００２５】
吸汗部１１ａの幅Ｗ２（図２）も特に限定されないが、通常、１０〜１５０ｍｍとされる。吸汗部１１ａの幅Ｗ２は、３０〜１００ｍｍであると好ましい。本実施態様のタオル１０において、吸汗部１１ａの幅Ｗ２は、約６０ｍｍとなっている。一方、通気部１１ｂの幅Ｗ３（図２）も特に限定されないが、通常、５〜５０ｍｍとされる。通気部１１ｂの幅Ｗ３は、１０〜３０ｍｍであると好ましい。本実施態様のタオル１０において、通気部１１ｂの幅Ｗ３は、約１５ｍｍとなっている。
【００２６】
タオル１０の各部のうち、結び目形成部１２，１３は、平織りによって形成されている。このため、結び目形成部１２，１３は、頭部巻回部１１における吸汗部１１ａよりも薄手となっている。このため、タオル１０を頭部２０に巻回して結ぶ際に、結び目を固く締めるだけでなく、形成される結び目の寸法を小さくできるようになっている。
【００２７】
タオル１０の巻回方向に沿った結び目形成部１２，１３の長さＬ３（図２）は、頭部巻回部１１の長さＬ２（図２）や、後述する結び目余剰部１４，１５の長さＬ４（図２）をどの程度に設定するかによっても異なり、特に限定されないが、通常、５〜２０ｃｍとされる。本実施態様のタオル１０において、結び目形成部１２，１３の長さＬ３は、約１０ｃｍとなっている。
【００２８】
タオル１０の各部のうち、結び目余剰部１４，１５の織り方は特に限定されないが、パイル織りであると好ましい。これにより、結び目余剰部１４，１５の吸汗性を向上させて、頬や首筋などを伝う汗を結び目余剰部１４，１５で拭うことが可能になる。本実施態様のタオル１０においては、結び目余剰部１４，１５を、頭部巻回部１１における吸汗部と同様のパイル織りによって形成している。
【００２９】
タオル１０の巻回方向に沿った結び目余剰部１４，１５の長さＬ４（図２）は、頭部巻回部１１の長さＬ２（図２）や、後述する結び目形成部１２，１３の長さＬ３（図２）をどの程度に設定するかによっても異なり、特に限定されないが、通常、５〜２０ｃｍとされる。本実施態様のタオル１０において、結び目余剰部１４，１５の長さＬ４は、約１０ｃｍとなっている。
【００３０】
本実施態様のタオル１０において、頭部巻回部１１における吸汗部１１ａのパイル織り部分と、頭部巻回部１１における通気部１１ｂのメッシュ織り部分と、結び目形成部１２，１３における平織り部分と、結び目余剰部１４，１５におけるパイル織り部分は、綿糸をジャガード織り機で織ることによって連続して形成されている。ジャガード織り機を用いると、タオル１０にロゴマークを入れるなど、タオル１０のデザイン性を高めることも可能である。
【００３１】
本考案のタオルは、その用途を特に限定されるものではなく、様々な場面で用いることができる。なかでも、工事現場で作業を行う際や、スポーツを行う際に、暑さ対策として頭部に巻回するものとして好適である。特に、その上からヘルメットを着用する場合などに好適である。
【図面の簡単な説明】
【００３２】
【図１】本考案のタオルを頭部に巻回した状態を示した図である。
【図２】本考案のタオルを展開した状態を示した図である。
【符号の説明】
【００３３】
１０    タオル
１１    頭部巻回部
１１ａ  吸汗部
１１ｂ  通気部
１２    結び目形成部
１３    結び目形成部
１４    結び目余剰部
１５    結び目余剰部
２０    頭部
Ｌ１  タオルの全体長
Ｌ２  タオルの巻回方向に沿った頭部巻回部の長さ
Ｌ３  タオルの巻回方向に沿った結び目形成部の長さ
Ｌ４  タオルの巻回方向に沿った結び目余剰部の長さ
Ｗ１  タオルの全体幅
Ｗ２  吸汗部の幅
Ｗ３  通気部の幅
【図１】
0003144096.tif 000003
【図２】
0003144096.tif 000004